(57)【要約】【課題】移動体の状況に応じて、コンテンツを特定して投影することにより、情報提供を行なうための情報提供システム、情報提供方法及び情報提供プログラムを提供する。【解決手段】プロジェクタ１０を用いて、機体ＡＦに投影するコンテンツを制御する制御部２１を備えた投影支援サーバ２０を用いる。この制御部２１が、機体ＡＦの属性を特定し、属性に応じて、投影するコンテンツを特定し、コンテンツを、プロジェクタ１０を用いて、機体ＡＦに対して投影するための指示を出力する。【選択図】図１
2017111254.tif 000002
【特許請求の範囲】
【請求項１】
投影装置を用いて、移動体に投影するコンテンツを制御する制御部を備えた情報提供システムであって、
前記制御部が、
移動体の属性を特定し、
前記属性に応じて、投影するコンテンツを特定し、
前記コンテンツを、前記投影装置を用いて前記移動体に対して投影するための指示を出力することを特徴とする情報提供システム。
【請求項２】
前記移動体の属性として、前記移動体の閲覧者を特定し、前記閲覧者に基づいてコンテンツを特定することを特徴とする請求項１に記載の情報提供システム。
【請求項３】
前記移動体の属性として、前記移動体の停止位置を特定し、前記停止位置に基づいてコンテンツを特定することを特徴とする請求項１又は２に記載の情報提供システム。
【請求項４】
前記移動体の属性として、前記移動体の種類を特定し、前記種類に基づいてコンテンツを特定することを特徴とする請求項１〜３の何れか一項に記載の情報提供システム。
【請求項５】
移動体の種類に応じて投影パターンを記録した投影情報記憶部を更に備え、
前記移動体の種類に応じた投影パターンに基づいて、投影条件を決定することを特徴とする請求項１〜４の何れか一項に記載の情報提供システム。
【請求項６】
前記移動体の表面状態を特定し、前記表面状態に基づいて、投影条件を調整することを特徴とする請求項１〜５の何れか一項に記載の情報提供システム。
【請求項７】
前記移動体が設置された環境情報を取得し、前記環境情報に基づいて、投影条件を調整することを特徴とする請求項１〜６の何れか一項に記載の情報提供システム。
【請求項８】
前記移動体と投影装置との位置関係を特定し、前記位置関係に基づいて投影条件を調整することを特徴とする請求項１〜７の何れか一項に記載の情報提供システム。
【請求項９】
前記移動体の動き状況を特定し、前記動き状況に基づいて投影条件を調整することを特徴とする請求項１〜８の何れか一項に記載の情報提供システム。
【請求項１０】
投影装置を用いて、移動体に投影するコンテンツを制御する制御部を備えた情報提供システムを用いて情報提供を行なう方法であって、
前記制御部が、
移動体の属性を特定し、
前記属性に応じて、投影するコンテンツを特定し、
前記コンテンツを、前記投影装置を用いて前記移動体に対して投影するための指示を出力することを特徴とする情報提供方法。
【請求項１１】
投影装置を用いて、移動体に投影するコンテンツを制御する制御部を備えた情報提供システムを用いて情報提供を行なうプログラムであって、
前記制御部を、
移動体の属性を特定し、
前記属性に応じて、投影するコンテンツを特定し、
前記コンテンツを、前記投影装置を用いて前記移動体に対して投影するための指示を出力する手段として機能させることを特徴とする情報提供プログラム。
【発明の詳細な説明】
【技術分野】
【０００１】
本発明は、移動体を用いて情報提供を行なうための情報提供システム、情報提供方法及び情報提供プログラムに関する。
【背景技術】
【０００２】
プロジェクタ等の投影装置を用いて、建物や物体、あるいは空間などに対して映像を映し出すオブジェクトマッピング技術が検討されている。この場合、単に、プロジェクション（投影）だけではなく、投影する対象に映像を張り合わせるマッピングを行なうことにより、投影対象に映像を重ね合わせる（例えば、特許文献１を参照。）。この文献に記載の技術においては、任意形状の被照射物体を高い精度で照射光によってコーティングを行なう。具体的には、照明制御装置は、被照射物体の形状に合わせてコーティング光の輪郭をカットするように照射光信号を補正する。そして、被照射物体の原点位置と照射光投影部との位置関係に応じて、コーティング光の輪郭を補正する。
【０００３】
また、被投影物が形状変化や移動等をしても、被投影物の表面にテクスチャをマッピングする技術も検討されている（例えば、特許文献２を参照。）。この文献に記載の技術においては、プロジェクションマッピング装置の画像処理装置は、電子カメラによって撮像された被投影物の像を含む画像を入力する。この場合、入力された画像を電子カメラの座標系から表示画面の座標系に座標変換し、変換された画像のうち被投影物の像の閉領域を抽出する。そして、抽出された閉領域にオブジェクトをマッピングし、オブジェクトを含む画面の映像信号を生成する。
【０００４】
また、イベント等において、プロジェクションマッピング技術により、航空機の機体にコンテンツを投影する場合もある（例えば、非特許文献１を参照。）。この文献に記載の技術においては、日本航空機製造の国産双発ターボプロップ旅客機「ＹＳ−１１」に様々なデザインが投影されている。
【先行技術文献】
【特許文献】
【０００５】
【特許文献１】特開２００９−４９００７号公報
【特許文献２】特開２０１３−１９２１８９号公報
【非特許文献】
【０００６】
【非特許文献１】Flight Liner（フライトライナー）、「１日限りＹＳ−１１の特別塗装機出現」、［online］、株式会社Madison Jet 6Quetz、［平成２７年１０月２６日検索］、インターネット＜http://flightliner.jp/news/28693.html＞
【発明の概要】
【発明が解決しようとする課題】
【０００７】
プロジェクションマッピングにおいては、予定された投影対象（建物やイベント会場に設置された航空機等）に対して、予定された映像の投影が行なわれる。従って、状況に応じて、投影対象やコンテンツを変更することはない。特に、投影対象が移動体である場合、移動体の状況に応じたコンテンツを提供することは想定されていなかった。
【０００８】
本発明は、上述の課題に鑑みてなされたものであり、この目的は、移動体の状況に応じて、コンテンツを特定して投影することにより、情報提供を行なうための情報提供システム、情報提供方法及び情報提供プログラムを提供することにある。
【課題を解決するための手段】
【０００９】
（１）上記課題を解決するための情報提供システムにおいては、投影装置を用いて、移動体に投影するコンテンツを制御する制御部を備える。そして、前記制御部が、移動体の属性を特定し、前記属性に応じて、投影するコンテンツを特定し、前記コンテンツを、投影装置を用いて前記移動体に対して投影するための指示を出力する。これにより、移動体の属性を考慮して、情報提供を行なうことができる。
【００１０】
（２）上記情報提供システムにおいて、前記移動体の属性として、前記移動体の閲覧者を特定し、前記閲覧者に基づいてコンテンツを特定することが好ましい。これにより、移動体の閲覧者を考慮して、情報提供を行なうことができる。
【００１１】
（３）上記情報提供システムにおいて、前記移動体の属性として、前記移動体の停止位置を特定し、前記停止位置に基づいてコンテンツを特定することが好ましい。これにより、移動体の停止位置に近い閲覧者を考慮して、情報提供を行なうことができる。
【００１２】
（４）上記情報提供システムにおいて、前記移動体の属性として、前記移動体の種類を特定し、前記種類に基づいてコンテンツを特定することが好ましい。これにより、移動体の種類を考慮して、情報提供を行なうことができる。
【００１３】
（５）上記情報提供システムにおいて、移動体の種類に応じて投影パターンを記録した投影情報記憶部を更に備え、前記移動体の種類に応じた投影パターンに基づいて、投影条件を決定することが好ましい。これにより、移動体の種類に応じて、的確な投影を行なうことができる。
【００１４】
（６）上記情報提供システムにおいて、前記移動体の表面状態を特定し、前記表面状態に基づいて、投影条件を調整することが好ましい。これにより、移動体の表面状態に応じて、的確な投影を行なうことができる。
【００１５】
（７）上記情報提供システムにおいて、前記移動体が設置された環境情報を取得し、前記環境情報に基づいて、投影条件を調整することが好ましい。これにより、移動体が設置された環境に応じて、的確な投影を行なうことができる。
【００１６】
（８）上記情報提供システムにおいて、前記移動体と投影装置との位置関係を特定し、前記位置関係に基づいて投影条件を調整することが好ましい。これにより、移動体と投影装置との位置関係に応じて、的確な投影を行なうことができる。
【００１７】
（９）上記情報提供システムにおいて、前記移動体の動き状況を特定し、前記動き状況に基づいて投影条件を調整することが好ましい。これにより、停止状態や走行状態等、移動体の動き状況に応じて、的確な投影を行なうことができる。
【発明の効果】
【００１８】
本発明によれば、移動体の状況に応じて、コンテンツを特定して投影することにより、情報提供を行なうことができる。
【図面の簡単な説明】
【００１９】
【図１】本実施形態のシステム概略図。
【図２】本実施形態の記憶部に記録されたデータの説明図であって、（ａ）はプロジェクタ情報記憶部、（ｂ）は投影情報記憶部、（ｃ）はコンテンツ情報記憶部、（ｄ）はイベント情報記憶部、（ｅ）はフライト情報記憶部、（ｆ）は機体情報記憶部の説明図。
【図３】本実施形態の投影制御処理の説明図。
【図４】本実施形態の投影条件設定処理の説明図。
【図５】本実施形態のコンテンツ特定処理の説明図。
【図６】本実施形態の投影調整処理の説明図。
【図７】他の実施形態の情報配信処理の説明図。
【発明を実施するための形態】
【００２０】
以下、本発明を具体化した一実施形態を、図１〜図６に従って説明する。本実施形態では、移動体である航空機の機体に対して、プロジェクションマッピングを行なうイベントを実施する場合を想定する。このイベントにより、閲覧者に対して情報を提供する場合を想定する。
【００２１】
図１に示すように、航空機の機体ＡＦにおいてコンテンツ（画像や映像）を投影する情報提供システムは、投影支援サーバ２０、運航管理サーバ３０を用いる。この投影支援サーバ２０は、プロジェクタ１０、カメラ１５、環境情報取得部１７に接続されている。
【００２２】
プロジェクタ１０は、旅客乗降用スポット（停止位置としての駐機場）において、機体ＡＦに対するプロジェクションマッピングを行なうことにより、画像や映像等のコンテンツを投影する投影装置である。本実施形態では、旅客ターミナルビルやスポット周囲に設置された固定型のプロジェクタ１０や、車両に搭載された移動型のプロジェクタ１０等を用いる。
【００２３】
カメラ１５は、航空機の機体ＡＦ等を撮影するための撮影装置である。
環境情報取得部１７は、空港の天候（降雨の有無）や日差し、照度等の環境情報を取得するセンサ装置である。なお、インターネットを介して、天候情報提供サイトから、空港がある地域の天候情報を取得するようにしてもよい。
【００２４】
投影支援サーバ２０は、プロジェクションマッピングにより、コンテンツの投影を支援するコンピュータシステムである。この投影支援サーバ２０は、制御部２１、プロジェクタ情報記憶部２２、投影情報記憶部２３、コンテンツ情報記憶部２４、イベント情報記憶部２５を備えている。また、投影支援サーバ２０には、管理者端末２７が接続されている。
【００２５】
制御部２１は、ＣＰＵ、ＲＡＭ、ＲＯＭ等から構成された制御手段として機能し、後述する処理（情報取得段階、投影条件設定段階、コンテンツ特定段階、投影管理段階等を含む処理）を行なう。このための情報提供プログラムを実行することにより、制御部２１は、情報取得部２１１、投影条件設定部２１２、コンテンツ特定部２１３、投影管理部２１４等として機能する。
【００２６】
情報取得部２１１は、カメラ１５、環境情報取得部１７や運航管理サーバ３０等から各種情報を取得する処理を実行する。この情報取得部２１１は、航空機の機種を特定するために、機体形状等のパターン認識を行なう。更に、情報取得部２１１は、各種航空機の機体ＡＦに付された機体番号の文字認識を行なう。
【００２７】
投影条件設定部２１２は、取得した各種情報に基づいて、機体ＡＦにおけるプロジェクションマッピングの投影条件を設定する処理を実行する。
コンテンツ特定部２１３は、取得した各種情報に基づいて、プロジェクションマッピングにおいて投影するコンテンツを特定する処理を実行する。
投影管理部２１４は、投影条件、コンテンツに基づいて、プロジェクションマッピングにおける投影を管理する処理を実行する。
【００２８】
図２（ａ）に示すように、プロジェクタ情報記憶部２２には、プロジェクションマッピングに用いるプロジェクタを管理するためのプロジェクタ管理レコード２２０が記録される。このプロジェクタ管理レコード２２０は、プロジェクションマッピングに用いるプロジェクタ１０が準備された場合に記録される。プロジェクタ管理レコード２２０は、プロジェクタＩＤ、プロジェクタ種別、設置場所に関するデータを含んで構成される。
【００２９】
プロジェクタＩＤデータ領域には、各プロジェクタ１０を特定するための識別子に関するデータが記録される。
プロジェクタ種別データ領域には、このプロジェクタ１０の種類に関するデータが記録される。本実施形態では、プロジェクタ１０の種類として、移動可能な車両に搭載された「移動型」と、建物等に固定された「固定型」とを用いる。
【００３０】
設置場所データ領域には、プロジェクタ種別「固定型」のプロジェクタ１０が設置された場所を特定するための識別子に関するデータが記録される。例えば、プロジェクタ１０が設置された駐機場に対応する出発ゲートを特定するための識別子（ゲート番号）等が記録される。
【００３１】
図２（ｂ）に示すように、投影情報記憶部２３には、プロジェクションマッピングにおいて投影する映像や画像を調整するための投影管理レコード２３０が記録される。この投影管理レコード２３０は、投影パターンが登録された場合に記録される。投影管理レコード２３０は、機種、プロジェクタ配置、投影パターンに関するデータを含んで構成される。
【００３２】
機種データ領域には、コンテンツを投影する航空機の機体の種別を特定するための識別子に関するデータが記録される。
プロジェクタ配置データ領域には、プロジェクタ１０の配置を特定するためのデータが記録される。例えば、「移動型」の場合には、機体ＡＦの位置に対して、プロジェクタ１０を載置した車両の配置位置に関する情報が記録される。また、「固定型」の場合には、建物等に固定されたプロジェクタ１０の設置位置に関する情報が記録される。
投影パターンデータ領域には、投影対象の機種や、機体ＡＦの位置とプロジェクタ１０との位置関係に応じて、プロジェクションマッピングを行なう画像や映像の投影形状を調整するためのデータが記録される。
【００３３】
図２（ｃ）に示すように、コンテンツ情報記憶部２４には、プロジェクションマッピングに用いるコンテンツについてのコンテンツ管理レコード２４０が記録される。このコンテンツ管理レコード２４０は、プロジェクションマッピングに用いられるコンテンツが登録された場合に記録される。コンテンツ管理レコード２４０は、コンテンツＩＤ、出力条件、コンテンツに関するデータを含んで構成される。
【００３４】
コンテンツＩＤデータ領域には、各コンテンツを特定するための識別子に関するデータが記録される。
出力条件データ領域には、このコンテンツを投影する場合の条件に関するデータが記録される。航空機の動き状況に関する出力条件としては、「駐機」、「スポットアウト（滑走路に向かうため、航空機が駐機場を離れ、自走の前の状態）」を用いる。また、航空機の機体ＡＦにおける投影可能範囲の出力条件としては、投影する場所（例えば、胴体前部、胴体中央部、胴体後部、主翼、尾翼等）を用いる。更に、コンテンツを選定するための出力条件（コンテンツ選定条件）としては、閲覧者の属性を特定する情報を用いる。本実施形態では、閲覧者の属性として、搭乗者の人物属性（性別、年齢層、所属、職業、趣味等）を用いる。例えば、搭乗者の所属としては、所定のスポーツイベントの参加チームを用いることができる。
コンテンツデータ領域には、この出力条件に応じたコンテンツの内容（画像や映像）に関するデータが記録される。例えば、コンテンツ選定条件としての「スポーツイベントの参加チーム」の場合には、このスポーツイベントに関連した画像や映像を記録しておく。
【００３５】
図２（ｄ）に示すように、イベント情報記憶部２５には、プロジェクションマッピングを行なうイベントについてのイベント管理レコード２５０が記録される。このイベント管理レコード２５０は、イベントが登録された場合に記録される。イベント管理レコード２５０は、イベント日、便名、場所、プロジェクタＩＤ、コンテンツＩＤに関するデータを含んで構成される。
【００３６】
イベント日データ領域には、イベント（プロジェクションマッピング）を行なう年月日に関するデータが記録される。
便名データ領域には、プロジェクションマッピングの投影対象となる航空機のフライトを特定するための識別子に関するデータが記録される。
【００３７】
場所データ領域には、イベントを行なう場所（空港、出発ゲート等）を特定するための識別子に関するデータが記録される。
プロジェクタＩＤデータ領域には、プロジェクションマッピングに用いるプロジェクタを特定するための識別子に関するデータが記録される。
【００３８】
コンテンツＩＤデータ領域には、プロジェクションマッピングに用いられるコンテンツを特定するための識別子に関するデータが記録される。このコンテンツは、動き状況「駐機」、「スポットアウト」に関連付けて記憶される。
【００３９】
管理者端末２７は、プロジェクションマッピングの管理者が用いるコンピュータ端末である。管理者端末２７は、キーボードやポインティングデバイス等、各種指示を入力するための入力部や、情報処理結果を出力するための出力部を備えている。
【００４０】
運航管理サーバ３０は、フライトを管理するコンピュータシステムである。この運航管理サーバ３０は、フライト情報記憶部３２、機体情報記憶部３３を備えている。更に、運航管理サーバ３０は、搭乗者情報（搭乗者の人物属性）を記録した搭乗者情報記憶部（図示せず）を備える。
図２（ｅ）に示すように、フライト情報記憶部３２には、航空機の飛行（フライト）についてのフライト管理レコード３２０が記録される。このフライト管理レコード３２０は、フライトスケジュールが登録された場合や、運航状況に応じて更新された場合に記録される。フライト管理レコード３２０は、便名、機体番号、機種、出発地、出発時刻、出発ゲート、到着地、到着時刻、到着ゲート、ステータスに関するデータを含んで構成される。
【００４１】
便名データ領域には、各フライトを特定するための識別子に関するデータが記録される。
機体番号データ領域には、このフライトにおいて用いられる航空機に付けられる個別の認識記号（国籍記号及び登録記号）に関するデータが記録される。
【００４２】
機種データ領域には、このフライトにおいて用いられる航空機の種類を特定するための識別子（製造メーカ、機種コード等）に関するデータが記録される。
出発地データ領域には、このフライトの出発空港を特定するための識別子に関するデータが記録される。
【００４３】
出発時刻データ領域には、このフライトが出発する年月日及び時刻に関するデータが記録される。なお、上述した便名、出発時刻等を用いることにより、搭乗者情報記憶部から、搭乗者情報（搭乗者の人物属性）を取得することができる。
出発ゲートデータ領域には、出発空港における出発ゲート（搭乗ゲート）を特定するための識別子に関するデータが記録される。
【００４４】
到着地データ領域には、このフライトの到着空港を特定するための識別子に関するデータが記録される。
到着時刻データ領域には、このフライトが到着する年月日及び時刻に関するデータが記録される。
【００４５】
到着ゲートデータ領域には、到着空港における到着ゲートを特定するための識別子に関するデータが記録される。
ステータスデータ領域には、このフライトの運航状況を特定するためのフラグが記録される。例えば、ステータスとして、「搭乗準備」、「搭乗中」、「出発」、「離陸」、「飛行中」、「着陸」、「到着」、「降機中」等を用いる。
【００４６】
図２（ｆ）に示すように、機体情報記憶部３３には、フライトに用いる機体についての機体管理レコード３３０が記録される。この機体管理レコード３３０は、機体に関する情報が登録された場合に記録される。機体管理レコード３３０は、機体番号、機種、機体状況に関するデータを含んで構成される。
【００４７】
機体番号データ領域には、各航空機に付けられる個別の認識記号に関するデータが記録される。
機種データ領域には、この航空機の種類を特定するための識別子に関するデータが記録される。
機体状況データ領域には、この航空機の機体形状や機体ＡＦに施されたペインティング（模様の配置や色彩等の表面状態）に関するデータが記録される。
【００４８】
次に、図３〜図６を用いて、上記のように構成された投影支援サーバ２０において実行される情報提供方法の処理手順について説明する。
【００４９】
（投影制御処理）
まず、図３を用いて、投影制御処理を説明する。
ここでは、投影支援サーバ２０の制御部２１は、投影対象の指定処理を実行する（ステップＳ１−１）。具体的には、プロジェクションマッピングを行なう場合、管理者は、管理者端末２７を用いて、プロジェクションマッピングを行なうイベント日、投影対象、場所を特定する。例えば、フライト情報記憶部３２に記録されているフライトを特定する。この場合、制御部２１の情報取得部２１１は、管理者端末２７から、投影対象に関するフライト情報を取得する。この場合、情報取得部２１１は、イベント日、便名、場所を含めたイベント管理レコード２５０を生成し、イベント情報記憶部２５に記録する。
【００５０】
次に、投影支援サーバ２０の制御部２１は、投影管理処理を実行する（ステップＳ１−２）。具体的には、制御部２１は、投影条件設定処理（ステップＳ１−２ａ）、コンテンツ特定処理（ステップＳ１−２ｂ）を実行する。これらの処理の詳細については、後述する。
【００５１】
次に、投影支援サーバ２０の制御部２１は、投影対象の状態の取得処理を実行する（ステップＳ１−３）。具体的には、制御部２１の情報取得部２１１は、カメラ１５を用いて、航空機を撮影する。そして、情報取得部２１１は、撮影動画に基づいて、投影対象の航空機の動き状況を特定する。
【００５２】
次に、投影支援サーバ２０の制御部２１は、投影可能かどうかについての判定処理を実行する（ステップＳ１−４）。具体的には、制御部２１の投影管理部２１４は、航空機が駐機場で停止している駐機状態の場合には、投影可能と判定する。
【００５３】
航空機が移動しており、投影可能でないと判定した場合（ステップＳ１−４において「ＮＯ」の場合）、投影支援サーバ２０の制御部２１は、投影対象の状態の取得処理（ステップＳ１−３）を継続する。
【００５４】
一方、航空機が駐機場で停止し、投影可能と判定した場合（ステップＳ１−４において「ＹＥＳ」の場合）、投影支援サーバ２０の制御部２１は、投影調整処理を実行する（ステップＳ１−５）。ここでは、プロジェクタ１０と機体ＡＦとの位置関係に基づいて、プロジェクションマッピングを行なう画像や映像の投影形状を調整する。この処理の詳細は後述する。
【００５５】
次に、投影支援サーバ２０の制御部２１は、ステップＳ１−３と同様に、投影対象の状態の取得処理を実行する（ステップＳ１−６）。
次に、投影支援サーバ２０の制御部２１は、駐機時コンテンツの投影処理を実行する（ステップＳ１−７）。具体的には、制御部２１の投影管理部２１４は、機体ＡＦに対して、プロジェクタ１０を用いて、イベント情報記憶部２５に記録された駐機時コンテンツの投影を開始する。
【００５６】
次に、投影支援サーバ２０の制御部２１は、次の投影は可能かどうかについての判定処理を実行する（ステップＳ１−８）。具体的には、制御部２１の投影管理部２１４は、撮影動画に基づいて、航空機の移動により、スポットアウトを検知した場合、次の投影は可能と判定する。
【００５７】
航空機の移動がなく、スポットアウトしておらず、次の投影は可能でないと判定した場合（ステップＳ１−８において「ＮＯ」の場合）、投影支援サーバ２０の制御部２１は、投影対象の状態の取得処理（ステップＳ１−６）に戻る。
【００５８】
一方、航空機の移動により、スポットアウトを検知し、次の投影は可能と判定した場合（ステップＳ１−８において「ＹＥＳ」の場合）、投影支援サーバ２０の制御部２１は、ステップＳ１−３と同様に、投影対象の状態の取得処理を実行する（ステップＳ１−９）。
次に、投影支援サーバ２０の制御部２１は、投影調整処理を実行する（ステップＳ１−１０）。具体的には、制御部２１の投影管理部２１４は、航空機の移動に追従して、投影調整処理を行なう。ここでも、ステップＳ１−５と同様に、プロジェクタ１０と機体ＡＦとの位置関係に基づいて、プロジェクションマッピングを行なう画像や映像の投影形状を調整する。この処理の詳細は後述する。
【００５９】
次に、投影支援サーバ２０の制御部２１は、スポットアウト時コンテンツの投影処理を実行する（ステップＳ１−１１）。具体的には、制御部２１の投影管理部２１４は、機体ＡＦに対して、プロジェクタ１０を用いて、イベント情報記憶部２５に記録されたスポットアウト時コンテンツの投影を開始する。この場合、投影調整処理（ステップＳ１−１０）において調整した画像や映像により、航空機の動きに追従して、プロジェクションマッピングを行なう。
【００６０】
次に、投影支援サーバ２０の制御部２１は、投影終了かどうかについての判定処理を実行する（ステップＳ１−１２）。具体的には、制御部２１の投影管理部２１４は、撮影動画に基づいて、航空機が駐機場から外に出て、自走開始を検知した場合には、投影終了と判定する。
【００６１】
航空機が駐機場内にあり、自走しておらず、投影終了でないと判定した場合（ステップＳ１−１２において「ＮＯ」の場合）、投影支援サーバ２０の制御部２１は、投影対象の状態の取得処理（ステップＳ１−９）に戻る。
【００６２】
一方、航空機が駐機場から出て、自走開始を検知し、投影終了と判定した場合（ステップＳ１−１２において「ＹＥＳ」の場合）、投影支援サーバ２０の制御部２１は、投影制御処理を終了する。
【００６３】
（投影条件設定処理）
次に、図４を用いて、投影条件設定処理（ステップＳ１−２ａ）を説明する。
まず、投影支援サーバ２０の制御部２１は、撮影画像の取得処理を実行する（ステップＳ２−１）。具体的には、制御部２１の情報取得部２１１は、カメラ１５を用いて、航空機の機体ＡＦを撮影する。そして、情報取得部２１１は、撮影画像に含まれる航空機の機体形状を特定する。更に、情報取得部２１１は、機体ＡＦに付された機体番号の文字認識を試みる。
【００６４】
次に、投影支援サーバ２０の制御部２１は、機種の特定処理を実行する（ステップＳ２−２）。具体的には、制御部２１の投影条件設定部２１２は、撮影画像において機体番号の文字認識ができた場合には、運航管理サーバ３０の機体情報記憶部３３に記録された機体番号を用いて機種を特定する。一方、撮影画像において機体番号を特定できなかった場合、投影条件設定部２１２は、機体情報記憶部３３に記録された機体状況を用いて、撮影画像に含まれる機体形状のパターン認識により、形状や模様が一致する機種を特定する。
【００６５】
次に、投影支援サーバ２０の制御部２１は、便名の特定処理を実行する（ステップＳ２−３）。具体的には、制御部２１の投影条件設定部２１２は、撮影画像において機体番号の文字認識ができた場合、この機体番号が記録されたフライト管理レコード３２０により便名を特定する。一方、撮影画像において機体番号を特定できなかった場合、投影条件設定部２１２は、運航管理サーバ３０のフライト情報記憶部３２を用いて、撮影時刻、撮影場所、機種に基づいて便名を特定する。例えば、フライト情報記憶部３２に記録されているステータスが「到着」で、撮影場所が到着ゲートに一致し、機種が一致するフライト管理レコード３２０を抽出する。そして、このフライト管理レコード３２０に記録されている機体番号を用いて、この空港から次に出発するフライトが記録されたフライト管理レコード３２０の便名を特定する。
【００６６】
次に、投影支援サーバ２０の制御部２１は、便名に基づいてゲートの特定処理を実行する（ステップＳ２−４）。具体的には、制御部２１の投影条件設定部２１２は、フライト管理レコード３２０に記録されている出発ゲートを特定する。
【００６７】
次に、投影支援サーバ２０の制御部２１は、投影対象の特性把握処理を実行する（ステップＳ２−５）。具体的には、制御部２１の投影条件設定部２１２は、運航管理サーバ３０の機体情報記憶部３３から、機体状況に関する情報を取得する。更に、投影条件設定部２１２が、カメラ１５を用いて撮影した撮影画像に基づいて、機体情報記憶部３３から取得した機体状況との一致を確認する。
【００６８】
次に、投影支援サーバ２０の制御部２１は、環境情報の取得処理を実行する（ステップＳ２−６）。具体的には、制御部２１の情報取得部２１１は、環境情報取得部１７から、天候情報を取得する。
【００６９】
次に、投影支援サーバ２０の制御部２１は、利用可能なプロジェクタの決定処理を実行する（ステップＳ２−７）。具体的には、制御部２１の投影条件設定部２１２は、フライト情報記憶部３２に記録されたフライト管理レコード３２０において、出発ゲートを特定する。そして、投影条件設定部２１２は、プロジェクタ情報記憶部２２を用いて、この出発ゲートの駐機場において利用可能なプロジェクタ１０を特定する。例えば、プロジェクタ１０が設置された駐機場の場合には、投影条件設定部２１２は、「固定型」のプロジェクタ１０を選択する。一方、プロジェクタ１０が設置されていない駐機場の場合には、投影条件設定部２１２は、「移動型」のプロジェクタ１０を選択する。そして、投影管理部２１４は、投影情報記憶部２３に記録されたプロジェクタ配置を、プロジェクタ１０を載置した車両の作業者に対する指示として出力する。更に、投影管理部２１４は、天候情報に応じて、利用可能なプロジェクタ１０を決定する。投影条件設定部２１２は、決定したプロジェクタ１０のプロジェクタＩＤを、イベント情報記憶部２５のイベント管理レコード２５０に記録する。
【００７０】
次に、投影支援サーバ２０の制御部２１は、投影可能範囲の特定処理を実行する（ステップＳ２−８）。具体的には、制御部２１の投影条件設定部２１２は、機体状態に基づいて、機体ＡＦの表面で投影可能な範囲を特定する。
【００７１】
（コンテンツ特定処理）
次に、図５を用いて、コンテンツ特定処理（ステップＳ１−２ｂ）を説明する。
まず、投影支援サーバ２０の制御部２１は、コンテンツ選定条件の特定処理を実行する（ステップＳ３−１）。具体的には、制御部２１のコンテンツ特定部２１３は、コンテンツ選定条件として、運航管理サーバ３０の搭乗者情報記憶部から取得した搭乗者情報の属性（性別、年齢層、所属等）の統計値を算出する。
【００７２】
次に、投影支援サーバ２０の制御部２１は、駐機時コンテンツの特定処理を実行する（ステップＳ３−２）。具体的には、制御部２１のコンテンツ特定部２１３は、コンテンツ情報記憶部２４から、機体状態に基づいて、投影可能範囲を特定し、この投影可能範囲に関連付けられているコンテンツ管理レコード２４０を特定する。更に、コンテンツ特定部２１３は、特定したコンテンツ管理レコード２４０において、コンテンツ選定条件に対応したレコードを抽出する。次に、コンテンツ特定部２１３は、抽出したコンテンツ管理レコード２４０において、動き状況として「駐機」に関連付けられているレコードを特定する。そして、コンテンツ特定部２１３は、特定したコンテンツ管理レコード２４０のコンテンツＩＤを、「駐機」に関連付けて、イベント管理レコード２５０に記録する。
【００７３】
次に、投影支援サーバ２０の制御部２１は、スポットアウト時コンテンツの特定処理を実行する（ステップＳ３−３）。具体的には、制御部２１のコンテンツ特定部２１３は、投影可能範囲、コンテンツ選定条件に対応したコンテンツ管理レコード２４０の中で、動き状況として「スポットアウト」に関連付けられているコンテンツ管理レコード２４０を特定する。そして、コンテンツ特定部２１３は、特定したコンテンツ管理レコード２４０のコンテンツＩＤを、「スポットアウト」に関連付けて、イベント管理レコード２５０に記録する。
【００７４】
（投影調整処理）
次に、図６を用いて、投影調整処理を説明する。ここでは、投影条件、コンテンツに基づいて、プロジェクタを調整する。
【００７５】
まず、投影支援サーバ２０の制御部２１は、使用プロジェクタの特定処理を実行する（ステップＳ４−１）。具体的には、制御部２１の投影管理部２１４は、イベント情報記憶部２５のイベント管理レコード２５０に記録されたプロジェクタＩＤを特定する。
【００７６】
そして、使用プロジェクタ毎に、以下の処理を繰り返す。
ここでは、投影支援サーバ２０の制御部２１は、位置関係の特定処理を実行する（ステップＳ４−２）。具体的には、制御部２１の投影管理部２１４は、カメラ１５による撮影画像を用いて、投影に利用するプロジェクタ１０と機体ＡＦとの位置関係を特定する。そして、投影管理部２１４は、位置関係に応じた投影情報記憶部２３に記録されたプロジェクタ配置、投影パターンに基づいて、プロジェクションマッピングを行なう画像や映像の投影形状を調整する。例えば、模様が付されている機体において、この模様をプロジェクションマッピングにおいて利用する場合には、模様の位置に応じて投影形状を調整する。また、この模様をプロジェクションマッピングにおいて利用しない場合には、この模様と重ならないように投影形状を調整する。
【００７７】
次に、投影支援サーバ２０の制御部２１は、プロジェクタの調整処理を実行する（ステップＳ４−３）。具体的には、制御部２１の投影管理部２１４は、特定したプロジェクタ１０において、投影範囲にプロジェクションマッピングを行なうための向きを調整する。例えば、固定型のプロジェクタ１０の場合、投影方向や焦点距離などを調整する。また、車両に搭載されたプロジェクタ１０の場合には、ＧＰＳや電子コンパスにより、プロジェクタの配置を指定する。そして、投影管理部２１４は、サンプル画像やコンテンツを投影して、この画像をカメラ１５で撮影し、投影方向や焦点距離を再調整するようにしてもよい。
【００７８】
本実施形態の情報提供システムによれば、以下のような効果を得ることができる。
（１）本実施形態では、投影支援サーバ２０の制御部２１は、投影対象の状態の取得処理を実行する（ステップＳ１−３）。投影可能と判定した場合（ステップＳ１−４において「ＹＥＳ」の場合）、投影支援サーバ２０の制御部２１は、投影調整処理（ステップＳ１−５）〜駐機時コンテンツの投影処理（ステップＳ１−７）を実行する。これにより、駐機状態の航空機に対して、プロジェクションマッピングにより、情報を提供することができる。更に、航空機の状況に応じた投影を行なうことができる。
【００７９】
（２）本実施形態では、航空機の移動によりスポットアウトを検知し、次の投影は可能と判定した場合（ステップＳ１−８において「ＹＥＳ」の場合）、投影支援サーバ２０の制御部２１は、投影対象の状態の取得処理（ステップＳ１−９）〜スポットアウト時コンテンツの投影処理（ステップＳ１−１１）を実行する。これにより、移動中の航空機に対してプロジェクションマッピングを行なうことができる。そして、航空機が駐機場から出て、自走開始を検知し、投影終了と判定した場合（ステップＳ１−１２において「ＹＥＳ」の場合）、投影支援サーバ２０の制御部２１は、投影制御処理を終了する。これにより、離陸準備に入った場合には、プロジェクションマッピングを終了させることができる。
【００８０】
（３）本実施形態では、投影支援サーバ２０の制御部２１は、撮影画像の取得処理を実行する（ステップＳ２−１）。そして、投影支援サーバ２０の制御部２１は、機種の特定処理を実行する（ステップＳ２−２）。航空機は機種によって形状が異なるが、形状に合わせたプロジェクションマッピングを行なうことができる。
【００８１】
（４）本実施形態では、投影支援サーバ２０の制御部２１は、便名の特定処理を実行する（ステップＳ２−３）。これにより、フライトに応じたプロジェクションマッピングを行なうことができる。
【００８２】
（５）本実施形態では、投影支援サーバ２０の制御部２１は、投影対象の特性把握処理を実行する（ステップＳ２−５）。航空機によっては、機体に模様が付されている場合もあるが、この模様を考慮したプロジェクションマッピングを行なうことができる。
【００８３】
（６）本実施形態では、投影支援サーバ２０の制御部２１は、環境情報の取得処理を実行する（ステップＳ２−６）。これにより、環境状況に応じたプロジェクションマッピングを行なうことができる。
【００８４】
（７）本実施形態では、投影支援サーバ２０の制御部２１は、利用可能なプロジェクタの決定処理を実行する（ステップＳ２−７）。空港には、複数の駐機場が設けられているが、駐機場に応じて、プロジェクションマッピングに用いるプロジェクタ１０を選択することができる。そして、固定式のプロジェクタ１０が設置されていない駐機場の場合には、プロジェクタ１０を搭載した車両を用いて、プロジェクションマッピングを行なうことができる。
【００８５】
（８）本実施形態では、投影支援サーバ２０の制御部２１は、投影可能範囲の特定処理を実行する（ステップＳ２−８）。これにより、機体状況やプロジェクタ１０に応じて、適切な投影範囲を特定することができる。
【００８６】
（９）本実施形態では、投影支援サーバ２０の制御部２１は、コンテンツ選定条件の特定処理を実行する（ステップＳ３−１）。そして、投影支援サーバ２０の制御部２１は、選定条件に基づいて、駐機時コンテンツの特定処理（ステップＳ３−２）、スポットアウト時コンテンツの特定処理（ステップＳ３−３）を実行する。これにより、搭乗待ちをしている搭乗予定者（閲覧者）や、搭乗予定者の見送り者を考慮して、プロジェクションマッピングに用いるコンテンツを特定することができる。
【００８７】
（１０）本実施形態では、投影支援サーバ２０の制御部２１は、使用プロジェクタの特定処理（ステップＳ４−１）、位置関係の特定処理（ステップＳ４−２）、プロジェクタの調整処理（ステップＳ４−３）を実行する。これにより、実際に利用されている航空機の機体ＡＦの停止位置とプロジェクタ１０との位置関係を考慮して、的確な投映を行なうことができる。
【００８８】
また、上記実施形態は、以下のように変更してもよい。
・上記実施形態では、移動体である航空機の機体に対して、プロジェクションマッピングを行なう。プロジェクションマッピングを行なう投影対象は、航空機に限定されるものではない。例えば、バスを含む自動車や鉄道列車等の移動体の車体に、プロジェクションマッピングを行なってもよい。
・上記実施形態では、投影支援サーバ２０、運航管理サーバ３０を用いる。この投影支援サーバ２０は、プロジェクタ１０、カメラ１５、環境情報取得部１７に接続されている。ハードウェア構成は、これに限定されるものではない。例えば、投影支援サーバ２０と運航管理サーバ３０とを一つのサーバ装置により構築することも可能である。また、プロジェクタ１０とカメラ１５とを一体化したハードウェア構成や、一つのプロジェクタ１０に対して複数のカメラ１５を設けた構成等としてもよい。
【００８９】
・上記実施形態では、投影支援サーバ２０の制御部２１は、投影対象の指定処理を実行する（ステップＳ１−１）。この場合、管理者端末２７を用いて、イベントに用いる便名を特定する。ここで、投影支援サーバ２０の制御部２１が投映対象を指定するようにしてもよい。この場合には、制御部２１に、プロジェクションマッピングによるイベントの開始条件を登録しておく。そして、制御部２１が、フライト情報記憶部３２を用いて、開始条件を満足する便名を特定する。また、制御部２１が、カメラ１５を用いて撮影した航空機の撮影画像に基づいて、任意の投影対象を指定するようにしてもよい。
【００９０】
・上記実施形態では、投影支援サーバ２０の制御部２１は、コンテンツ選定条件の特定処理を実行する（ステップＳ３−１）。具体的には、運航管理サーバ３０から取得した搭乗者情報をコンテンツ選定条件として用いる。ここで、コンテンツ選定条件は、搭乗者情報に限定されるものではない。コンテンツを決定できるまで、複数のコンテンツ選定条件を組み合わせてもよい。また、閲覧者の属性を考慮してコンテンツを決定してもよい。
【００９１】
例えば、プロジェクションマッピングを行なう駐機場に隣接する出発ゲートからの搭乗予定者をコンテンツ選定条件として用いてもよい。この場合には、フライト情報記憶部３２を用いて、プロジェクションマッピングを行なう投映対象（航空機）の周囲で、所定時間後に離陸予定のフライトを特定する。そして、搭乗者情報記憶部において、このフライトの搭乗者を閲覧者として特定する。
【００９２】
また、プロジェクションマッピングを行なう駐機場が見える場所（ロビー通路やラウンジ等）の近くにカメラを設置し、このカメラを用いて、閲覧者の性別や年齢層を特定するようにしてもよい。これにより、閲覧状況に応じて、適切なコンテンツによるプロジェクションマッピングを行なうことができる。
【００９３】
更に、フライト情報記憶部３２に記録されたフライト情報を用いて、コンテンツを決定するようにしてもよい。この場合には、フライトの出発地や到着地に関する情報（例えば、観光案内や土産情報、関連企業情報等）や、フライトの運航状況をコンテンツとして投影する。
【００９４】
更に、環境情報取得部１７から取得した天候情報（天気、気温、湿度、風向きや風力等）や、時間（季節、日付、曜日、時間等）に基づいて、コンテンツを変更するようにしてもよい。
また、プロジェクションマッピングを行なっている機体ＡＦを撮影した映像を、ネットワークを介して放映し、ネットワークを介して収集したコメントを投影するようにしてもよい。
【００９５】
・上記実施形態では、投影支援サーバ２０の制御部２１は、駐機時コンテンツの特定処理（ステップＳ３−２）、スポットアウト時コンテンツの特定処理（ステップＳ３−３）を実行する。ここでは、コンテンツ選定条件に対応したコンテンツ管理レコード２４０を特定する。例えば、コンテンツ選定条件としての「スポーツイベントの参加チーム」の場合には、このスポーツイベントに関連した画像や映像を特定する。ここで、コンテンツは、多様な情報を用いることができる。例えば、投影支援サーバ２０の制御部２１は、ネットワークを介して、投影対象のフライトの搭乗者からメッセージを収集し、このメッセージをプロジェクションマッピングにより投影するようにしてもよい。また、投影対象のフライトの見送り者からメッセージを収集し、このメッセージをプロジェクションマッピングにより投影するようにしてもよい。
【００９６】
・上記実施形態では、投影支援サーバ２０の制御部２１は、コンテンツ選定条件の特定処理を実行する（ステップＳ３−１）。具体的には、運航管理サーバ３０から取得した搭乗者情報をコンテンツ選定条件として用いる。これに加えて、機種に応じて、コンテンツを決定するようにしてもよい。
また、機体周辺の状況に応じて、コンテンツを決定するようにしてもよい。この場合には、運航管理サーバ３０等から、周辺車両の状況、旅客／貨物ドアの状況、周辺作業者の状況、乗務員の状況、搭乗旅客の状況を特定して、この状況に応じてコンテンツを決定する。
【００９７】
・上記実施形態では、航空機の動き状況に関する出力条件としては、「駐機」、「スポットアウト」を用いたが、これらに限定されるものではない。例えば、格納庫等への移動等の「その他の空港内移動」において、プロジェクションマッピングを行なうことも可能である。
【００９８】
・上記実施形態では、投影支援サーバ２０の制御部２１は、投影可能かどうかについての判定処理（ステップＳ１−４）、次の投影は可能かどうかについての判定処理（ステップＳ１−８）、投影終了かどうかについての判定処理（ステップＳ１−１２）を実行する。ここでは、撮影動画に基づく、航空機の動きにより各状況の判定を行なう。各状況の判定方法は、航空機の動きに基づく場合に限定されるものではない。例えば、機体状況に基づいて判定することも可能である。この場合、ドアの開閉状況に基づいて、「ドア開〜ドア閉」を駐機状態と判定する。また、フライト情報記憶部３２からのステータス（運航状況）を取得して、機体状況を判定するようにしてもよい。
【００９９】
・上記実施形態では、航空機の機体ＡＦにプロジェクションマッピングを行なう。プロジェクションマッピングを行なう場合、このイベントを閲覧対象者に通知するようにしてもよい。この場合には、プロジェクションマッピングを行なう場所に応じて、閲覧可能な範囲のユーザに対して、イベントの通知を行なう。具体的には、投影支援サーバ２０に、駐機場に関連付けて、視認可能な範囲に関する情報を記録させておく。そして、制御部２１に情報配信処理を実行する情報配信部を設ける。
【０１００】
図７を用いて、情報配信処理を説明する。
（情報配信処理）
ここでは、まず、投影支援サーバ２０の制御部２１は、投影予定の取得処理を実行する（ステップＳ５−１）。具体的には、制御部２１の情報配信部は、イベント情報記憶部２５において、所定時間前のイベント管理レコード２５０を抽出する。
【０１０１】
次に、投影支援サーバ２０の制御部２１は、実施場所に応じて閲覧可能範囲の特定処理を実行する（ステップＳ５−２）。具体的には、制御部２１の情報配信部は、運航管理サーバ３０のフライト情報記憶部３２において、イベント管理レコード２５０の便名が記録されたフライト管理レコード３２０を抽出する。そして、情報配信部は、このフライト管理レコード３２０を用いて、出発ゲート（駐機場）を特定する。この場合、情報配信部は、この駐機場を閲覧可能なエリアの所定範囲を配信エリアとして特定する。
【０１０２】
次に、投影支援サーバ２０の制御部２１は、プッシュ通知の配信指示処理を実行する（ステップＳ５−３）。具体的には、制御部２１の情報配信部は、特定した配信エリアの基地局に対して、イベントに関するプッシュ通知の配信を指示する。このプッシュ通知には、イベントが行なわれる時刻、駐機場に関する情報が含まれる。このプッシュ通知は、配信エリアに所在するユーザ端末に送信される。
これにより、プッシュ通知を受け取ったユーザは、イベントを閲覧することができる。
【０１０３】
・上記実施形態では、航空機の機体ＡＦにプロジェクションマッピングを行なう。ここで、映像に対して、サウンド（音）と連動をさせるようにしてもよい。この場合には、コンテンツ情報記憶部２４に、プロジェクションマッピングに用いるコンテンツに関連付けて、サウンドコンテンツを記憶させておく。そして、投影支援サーバ２０の制御部２１は、ステップＳ５−１，Ｓ５−２と同様に、投影予定の取得処理、実施場所に応じて閲覧可能範囲の特定処理を実行する。そして、投影支援サーバ２０の制御部２１は、閲覧可能範囲でサウンドの配信を行なう。この場合、閲覧可能範囲のエリアに設置されたスピーカからサウンドを出力する。また、閲覧可能範囲内のユーザ端末に対してサウンドを配信するようにしてもよい。
【０１０４】
・上記実施形態では、航空機の機体ＡＦにプロジェクションマッピングを行なう。この場合、プロジェクションマッピングに連動して、機体ＡＦ以外の領域で関連コンテンツを出力するようにしてもよい。例えば、機内の壁等や、空港内の窓や壁等に、コンテンツを投影する。この場合には、コンテンツ情報記憶部２４に、プロジェクションマッピングに用いるコンテンツに関連付けて、関連コンテンツを記憶させておく。これにより、機体ＡＦだけでなく、機内や空港等を含めて、情報提供を行なうことができる。
【０１０５】
・上記実施形態では、投影支援サーバ２０の制御部２１は、投影調整処理（ステップＳ１−５）、駐機時コンテンツの投影処理（ステップＳ１−７）を実行する。ここで、駐機中においても、投影調整処理（ステップＳ１−５）を継続的して実行するようにしてもよい。これにより、例えば、駐機中に機体ＡＦが動いた場合にも、的確に投影することができる。
【０１０６】
・上記実施形態では、駐機状態、スポットアウト〜自走までの期間にプロジェクションマッピングを行なう。プロジェクションマッピングを行なう期間は、これらに限定されるものではない。例えば、駐機状態になる前に、プロジェクションマッピングを行なうようにしてもよい。この場合も、ステップＳ１−９、Ｓ１−１０と同様に、投影対象の状態の取得処理、投影調整処理を実行して、到着時のコンテンツを投影する。
【符号の説明】
【０１０７】
１０…プロジェクタ、１５…カメラ、１７…環境情報取得部、２０…投影支援サーバ、２１…制御部、２１１…情報取得部、２１２…投影条件設定部、２１３…コンテンツ特定部、２１４…投影管理部、２２…プロジェクタ情報記憶部、２３…投影情報記憶部、２４…コンテンツ情報記憶部、２５…イベント情報記憶部、２７…管理者端末、３０…運航管理サーバ、３２…フライト情報記憶部、３３…機体情報記憶部。
【図１】
2017111254.tif 000003
【図２】
2017111254.tif 000004
【図３】
2017111254.tif 000005
【図４】
2017111254.tif 000006
【図５】
2017111254.tif 000007
【図６】
2017111254.tif 000008
【図７】
2017111254.tif 000009
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
投影装置を用いて、旅客を搭乗させる移動体に投影するコンテンツを制御する制御部を備えた情報提供システムであって、
前記制御部が、
移動体の属性として、前記移動体の搭乗者の人物属性に対応した閲覧者属性を特定し、
前記閲覧者属性に基づいて、投影するコンテンツを特定し、
前記コンテンツを、前記投影装置を用いて前記移動体に対して投影するための指示を出力することを特徴とする情報提供システム。
【請求項２】
前記移動体の属性として、更に、前記移動体の停止位置を特定し、前記停止位置に基づいてコンテンツを特定することを特徴とする請求項１に記載の情報提供システム。
【請求項３】
前記移動体の属性として、更に、前記移動体の種類を特定し、前記種類に基づいてコンテンツを特定することを特徴とする請求項１又は２に記載の情報提供システム。
【請求項４】
移動体の種類に応じて投影パターンを記録した投影情報記憶部を更に備え、
前記移動体の種類に応じた投影パターンに基づいて、投影条件を決定することを特徴とする請求項１〜３の何れか一項に記載の情報提供システム。
【請求項５】
前記移動体の表面状態を特定し、前記表面状態に基づいて、投影条件を調整することを特徴とする請求項１〜４の何れか一項に記載の情報提供システム。
【請求項６】
前記移動体が設置された環境情報を取得し、前記環境情報に基づいて、投影条件を調整することを特徴とする請求項１〜５の何れか一項に記載の情報提供システム。
【請求項７】
前記移動体と投影装置との位置関係を特定し、前記位置関係に基づいて投影条件を調整することを特徴とする請求項１〜６の何れか一項に記載の情報提供システム。
【請求項８】
前記移動体の動き状況を特定し、前記動き状況に基づいて投影条件を調整することを特徴とする請求項１〜７の何れか一項に記載の情報提供システム。
【請求項９】
投影装置を用いて、旅客を搭乗させる移動体に投影するコンテンツを制御する制御部を備えた情報提供システムを用いて情報提供を行なう方法であって、
前記制御部が、
移動体の属性として、前記移動体の搭乗者の人物属性に対応した閲覧者属性を特定し、
前記閲覧者属性に基づいて、投影するコンテンツを特定し、
前記コンテンツを、前記投影装置を用いて前記移動体に対して投影するための指示を出力することを特徴とする情報提供方法。
【請求項１０】
投影装置を用いて、旅客を搭乗させる移動体に投影するコンテンツを制御する制御部を備えた情報提供システムを用いて情報提供を行なうプログラムであって、
前記制御部を、
移動体の属性として、前記移動体の搭乗者の人物属性に対応した閲覧者属性を特定し、
前記閲覧者属性に基づいて、投影するコンテンツを特定し、
前記コンテンツを、前記投影装置を用いて前記移動体に対して投影するための指示を出力する手段として機能させることを特徴とする情報提供プログラム。
【手続補正２】
【補正対象書類名】明細書
【補正対象項目名】０００９
【補正方法】変更
【補正の内容】
【０００９】
（１）上記課題を解決するための情報提供システムにおいては、投影装置を用いて、旅客を搭乗させる移動体に投影するコンテンツを制御する制御部を備える。そして、前記制御部が、移動体の属性として、前記移動体の搭乗者の人物属性に対応した閲覧者属性を特定し、前記閲覧者属性に基づいて、投影するコンテンツを特定し、前記コンテンツを、投影装置を用いて前記移動体に対して投影するための指示を出力する。これにより、移動体の属性を考慮して、情報提供を行なうことができる。
【手続補正３】
【補正対象書類名】明細書
【補正対象項目名】００１０
【補正方法】変更
【補正の内容】
【００１０】
（２）上記情報提供システムにおいて、前記移動体の属性として、前記移動体の閲覧者を特定し、前記閲覧者に基づいてコンテンツを特定する。これにより、移動体の閲覧者を考慮して、情報提供を行なうことができる。
【手続補正４】
【補正対象書類名】明細書
【補正対象項目名】００１１
【補正方法】変更
【補正の内容】
【００１１】
（３）上記情報提供システムにおいて、前記移動体の属性として、更に、前記移動体の停止位置を特定し、前記停止位置に基づいてコンテンツを特定することが好ましい。これにより、移動体の停止位置に近い閲覧者を考慮して、情報提供を行なうことができる。
【手続補正５】
【補正対象書類名】明細書
【補正対象項目名】００１２
【補正方法】変更
【補正の内容】
【００１２】
（４）上記情報提供システムにおいて、前記移動体の属性として、更に、前記移動体の種類を特定し、前記種類に基づいてコンテンツを特定することが好ましい。これにより、移動体の種類を考慮して、情報提供を行なうことができる。